【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
シートを照明する光源と、
前記シートからの光情報をカラーで読み取る複数の読み取りラインが相互に所定の距離を隔てて配置され、且つ前記各々の読み取りラインの各画素が副走査方向に色成分の数に対応して分割されたコンタクトイメージセンサと、
前記コンタクトイメージセンサの走査方向と垂直な方向に、前記シートと前記コンタクトイメージセンサとを相対的に移動させる移動手段と、
前記副走査方向の空間的ずれを補正する第一の補正手段と、
前記各色成分間の画像解像度の差を補正する第二の補正手段と、
前記第一及び第二の補正手段による補正処理後の画像中の黒文字エリアを判定する黒文字エリア判定手段とを備えたことを特徴とする画像読み取り装置。
【請求項２】
前記第二の補正手段は、前記第一の補正手段の後段に設けたことを特徴とする請求項１記載の画像読み取り装置。
【請求項３】
前記第二の補正手段は、前記第一の補正手段の前段に設けたことを特徴とする請求項１記載の画像読み取り装置。
【請求項４】
前記第二の補正手段の出力を前記黒文字エリア判定手段に直接入力することを特徴とする請求項２記載の画像読み取り装置。
【請求項５】
前記第二の補正手段は、前記各色成分に対応して個別に設けたことを特徴とする請求項１乃至４記載の画像読み取り装置。
【請求項６】
前記第二の補正手段は、デジタル空間フィルタで構成したことを特徴とする請求項５記載の画像読み取り装置。
【請求項７】
前記デジタル空間フィルタの設定値を設定する制御手段を備えたことを特徴とする請求項６記載の画像読み取り装置。
【請求項８】
前記制御手段は、前記デジタル空間フィルタの設定値を、読み取り倍率に応じて変化させることを特徴とする請求項７記載の画像読み取り装置。
【請求項９】
シート上の画像を読み取る画像読み取り装置と、前記画像読み取り装置で読み取られた画像データを出力する画像出力装置とを備えた画像処理システムにおいて、
前記画像読み取り装置は、
前記シートを照明する光源と、
前記シートからの光情報をカラーで読み取る複数の読み取りラインが相互に所定の距離を隔てて配置され、且つ前記各々の読み取りラインの各画素が副走査方向に色成分の数に対応して分割されたコンタクトイメージセンサと、
前記コンタクトイメージセンサの走査方向と垂直な方向に、前記シートと前記コンタクトイメージセンサとを相対的に移動させる移動手段と、
前記副走査方向の空間的ずれを補正する第一の補正手段と、
前記各色成分間の画像解像度の差を補正する第二の補正手段と、
前記第一及び第二の補正手段による補正処理後の画像中の黒文字エリアを判定する黒文字エリア判定手段とを備えたことを特徴とする画像処理システム。
【請求項１０】
前記第二の補正手段は、前記第一の補正手段の後段に設けたことを特徴とする請求項９記載の画像処理システム。
【請求項１１】
前記第二の補正手段は、前記第一の補正手段の前段に設けたことを特徴とする請求項９記載の画像処理システム。
【請求項１２】
前記第二の補正手段の出力を前記黒文字エリア判定手段に直接入力することを特徴とする請求項１０記載の画像処理システム。
【請求項１３】
前記第二の補正手段は、前記各色成分に対応して個別に設けたことを特徴とする請求項９乃至１２記載の画像処理システム。
【請求項１４】
前記第二の補正手段は、デジタル空間フィルタで構成したことを特徴とする請求項１３記載の画像処理システム。
【請求項１５】
前記デジタル空間フィルタの設定値を設定する制御手段を備えたことを特徴とする請求項１４記載の画像処理システム。
【請求項１６】
前記制御手段は、前記デジタル空間フィルタの設定値を読み取り倍率に応じて変化させることを特徴とする請求項１５記載の画像処理システム。
【請求項１７】
シートを照明する光源と、前記シートからの光情報をカラーで読み取る複数の読み取りラインが相互に所定の距離を隔てて配置され、且つ前記各々の読み取りラインの各画素が副走査方向に色成分の数に対応して分割されたコンタクトイメージセンサと、前記コンタクトイメージセンサの走査方向と垂直な方向に、前記シートと前記コンタクトイメージセンサとを相対的に移動させる移動手段とを備えた画像読み取り装置を用いた画像読み取り方法であって、
前記副走査方向の空間的ずれを補正する第一の補正行程と、
前記各色成分間の画像解像度の差を補正する第二の補正行程と、
前記第一及び第二の補正行程による補正処理後の画像中の黒文字エリアを判定する黒文字エリア判定行程とを実行することを特徴とする画像読み取り方法。
【請求項１８】
前記第二の補正行程は、前記第一の補正行程の後に実行することを特徴とする請求項１７記載の画像読み取り方法。
【請求項１９】
前記第二の補正行程は、前記第一の補正行程の前に実行することを特徴とする請求項１７記載の画像読み取り方法。
【請求項２０】
前記第二の補正行程の処理結果を前記黒文字エリア判定行程で直接用いることを特徴とする請求項１８記載の画像読み取り方法。
【請求項２１】
前記第二の補正行程は、前記各色成分に対応して個別に実行することを特徴とする請求項１７乃至２０記載の画像読み取り方法。
【請求項２２】
前記第二の補正行程は、デジタル空間フィルタを用いて補正処理を行うことを特徴とする請求項２１記載の画像読み取り方法。
【請求項２３】
前記デジタル空間フィルタの設定値を設定する制御行程を実行することを特徴とする請求項２２記載の画像読み取り方法。
【請求項２４】
前記制御行程は、前記デジタル空間フィルタの設定値を、読み取り倍率に応じて変化させることを特徴とする請求項２３記載の画像読み取り方法。
【請求項２５】
請求項１７乃至２４のいずれか１項に記載の画像読み取り方法を実行するための制御プログラムを提供する媒体。
【請求項２６】
請求項１７乃至２４のいずれか１項に記載の画像読み取り方法を実行するための制御プログラム。
【手続補正２】
【補正対象書類名】明細書
【補正対象項目名】００１１
【補正方法】変更
【補正の内容】
【００１１】
本発明は上記従来の問題点に鑑み、カラー画像読み取り部のイメージセンサとして、副走査方向に１画素をＲ，Ｇ，Ｂに３分割したカラーＣＩＳを使用した場合であっても、黒文字判定を精度良く行うことができる画像読み取り装置、画像処理システム、画像読み取り方法、制御プログラムを提供する媒体、及び制御プログラムを提供することを目的とする。
【手続補正３】
【補正対象書類名】明細書
【補正対象項目名】００１４
【補正方法】変更
【補正の内容】
【００１４】
本発明に係る画像読み取り方法では、シートを照明する光源と、前記シートからの光情報をカラーで読み取る複数の読み取りラインが相互に所定の距離を隔てて配置され、且つ前記各々の読み取りラインの各画素が副走査方向に色成分の数に対応して分割されたコンタクトイメージセンサと、前記コンタクトイメージセンサの走査方向と垂直な方向に、前記シートと前記コンタクトイメージセンサとを相対的に移動させる移動手段とを備えた画像読み取り装置を用いた画像読み取り方法であって、前記副走査方向の空間的ずれを補正する第一の補正行程と、前記各色成分間の画像解像度の差を補正する第二の補正行程と、前記第一及び第二の補正行程による補正処理後の画像中の黒文字エリアを判定する黒文字エリア判定行程とを実行することを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】